(57)【要約】      （修正有）【課題】１台で、壁面に水平、左右傾斜あるいは前方傾斜のいずれにも適用できる商品陳列什器を提供する。【解決手段】凹状係合部１２を備えるアーム状の支持部１１を有する固定側部材１と、凹状係合部１２に嵌合する凸状係合部２１と、商品が載置される陳列板２２と、凸状係合部２１と陳列板２２を接続する連接部２５とを有する商品陳列板側部材２と、を備え、凹状係合部１２は、上方が開で前端から所定長さの奥行を有する部分円形断面の内周面に前後方向に延びる溝を形成したものであり、凸状係合部２１は、円柱体の外周面に前後方向に延びる溝に係合する周面突起を形成し、円柱体の円形端面に径方向に延びる溝に係合する端面突起２４を形成した商品陳列什器１０である。【選択図】図１
0003198021.tif 000002
【実用新案登録請求の範囲】
【請求項１】
バー部材及び壁面等の固定体に取り付けられる取り付け部と、凹状係合部を備える該取り付け部に連接するアーム状の支持部とを有する固定側部材（Ａ）と、
該凹状係合部に嵌合する凸状係合部と、商品が載置される陳列面を有する陳列板と、該凸状係合部と該陳列板を一体に接続する連接部とを有する商品陳列板側部材（Ｂ）と、を備えるものであって、
該凹状係合部は、上方が開で前端から所定長さの奥行を有する部分円形断面の内周面に前後方向に延びる溝を形成したものであり、
該凸状係合部は、円柱体の外周面に前後方向で且つ該円柱体の軸中心の平行に延びる該溝に係合する周面突起を形成し、該円柱体の円形端面に径方向に延び且つ円形端面の円形の中心を通る該溝に係合する端面突起を形成したものであり、
該凸状係合部の周面突起と該凹状係合部の溝を係合させた際、陳列面が水平又は傾斜となる第１傾斜となり、
該凸状係合部の端面突起と該凹状係合部の溝に係合させた際、該第１傾斜とは異なる傾斜の第２傾斜となることを特徴とする商品陳列什器。
【請求項２】
該内周面に形成される溝は、周方向に所定のピッチで複数形成されることを特徴とする請求項１記載の商品陳列什器。
【請求項３】
該内周面に形成される溝は、左右対称位置に形成されることを特徴とする請求項２記載の商品陳列什器。
【請求項４】
該周面突起は、複数個であって、円柱体の円形端面を正面視として左右対称位置に形成されることを特徴とする請求項１〜３のいずれか１項に記載の商品陳列什器。
【請求項５】
該端面突起は、該円柱体の前後両端面又は前後両端面のいずれか１方の端面に形成されたものであることを特徴とする請求項１〜４のいずれか１項に記載の商品陳列什器。
【請求項６】
該凹状係合部の左右方向の中央部には、上下方向に貫通する貫通孔を形成し、該貫通孔より小であり、後端が固定された、薄片状の上下方向に撓む弾性体を形成し、該弾性体の先端に上下方向に延びる突起を形成したことを特徴とする請求項１〜５のいずれか１項に記載の商品陳列什器。
【請求項７】
該第１傾斜の傾斜面は、水平、左下がり傾斜又は右下がり傾斜であり、該第２傾斜の傾斜面は、前方下り傾斜であることを特徴とする請求項１〜６のいずれか１項に記載の商品陳列什器。
【請求項８】
該陳列板は靴置き用であることを特徴とする請求項１〜７のいずれか１項に記載の商品陳列什器。 
【考案の詳細な説明】
【技術分野】
【０００１】
本考案は、壁面又は横方向に延びるバー部材に設置する靴の陳列に好適な商品陳列什器に関するものである。
【背景技術】
【０００２】
靴専門店、スポーツショップの靴売り場などには、多種類、多量の靴が陳列されている。靴の陳列には、売り場の中央に位置する多段陳列棚の棚面に靴を陳列するものと、壁面に設置された靴置き什器に靴を陳列するものがある。壁面に設置された靴置き什器に靴を陳列するものは、顧客が靴を横側から全体を見ることができ、靴のスタイルや靴に施された模様を見ることができ、陳列の演出を高めることができる。
【０００３】
従来、壁面に設置される靴置き什器としては、靴を水平置きとする場合、陳列板が水平の専用品が使用され、また、靴を左下り傾斜置き又は右下り傾斜置きとする場合、陳列板が左下り傾斜又は右下り傾斜の専用品が使用されていた。
【考案の概要】
【考案が解決しようとする課題】
【０００４】
しかしながら、従来の靴置き什器を使用して、壁面に水平、左右傾斜あるいは前方傾斜など種々の陳列形態で陳列する場合、専用品をそれぞれ準備する必要があり、保管や在庫管理が煩雑であり、また、コスト高のものとなっていた。このため、１台で、壁面に水平、左右傾斜あるいは前方傾斜で陳列できる靴用什器の開発が望まれていた。
【０００５】
従って、本考案の目的は、１台で、壁面に水平、左右傾斜あるいは前方傾斜のいずれにも適用できる商品陳列什器を提供することにある。
【課題を解決するための手段】
【０００６】
すなわち、本考案は、従来の課題を解決したものであって、バー部材及び壁面等の固定体に取り付けられる取り付け部と、凹状係合部を備える該取り付け部に連接するアーム状の支持部とを有する固定側部材（Ａ）と、該凹状係合部に嵌合する凸状係合部と、商品が載置される陳列面を有する陳列板と、該凸状係合部と該陳列板を一体に接続する連接部とを有する商品陳列板側部材（Ｂ）と、を備えるものであって、該凹状係合部は、上方が開で前端から所定長さの奥行を有する部分円形断面の内周面に前後方向に延びる溝を形成したものであり、該凸状係合部は、円柱体の外周面に前後方向で且つ該円柱体の軸中心の平行に延びる該溝に係合する周面突起を形成し、該円柱体の円形端面に径方向に延び且つ円形端面の円形の中心を通る該溝に係合する端面突起を形成したものであり、該凸状係合部の周面突起と該凹状係合部の溝を係合させた際、陳列面が水平又は傾斜となる第１傾斜となり、該凸状係合部の端面突起と該凹状係合部の溝に係合させた際、該第１傾斜とは異なる傾斜の第２傾斜となることを特徴とする商品陳列什器を提供するものである。
【０００７】
また、本考案は、該内周面に形成される溝は、周方向に所定のピッチで複数形成されることを特徴とする前記商品陳列什器を提供するものである。
【０００８】
また、本考案は、該内周面に形成される溝は、左右対称位置に形成されることを特徴とする前記商品陳列什器を提供するものである。
【０００９】
また、本考案は、該周面突起は、複数個であって、円柱体の円形端面を正面視として左右対称位置に形成されることを特徴とする前記商品陳列什器を提供するものである。
【００１０】
また、本考案は、該端面突起は、該円柱体の前後両端面又は前後両端面のいずれか１方の端面に形成されたものであることを特徴とする前記商品陳列什器を提供するものである。
【００１１】
また、本考案は、該凹状係合部の左右方向の中央部には、上下方向に貫通する貫通孔を形成し、該貫通孔より小であり、後端が固定された、薄片状の上下方向に撓む弾性体を形成し、該弾性体の先端に上下方向に延びる突起を形成したことを特徴とする前記商品陳列什器を提供するものである。
【００１２】
また、本考案は、該第１傾斜の傾斜面は、水平、左下がり傾斜又は右下がり傾斜であり、該第２傾斜の傾斜面は、前方下り傾斜であることを特徴とする前記商品陳列什器を提供するものである。
【００１３】
また、本考案は、該陳列板は靴置き用であることを特徴とする前記商品陳列什器を提供するものである。
【考案の効果】
【００１４】
本考案によれば、固定側部材（Ａ）の凹状係合部に、商品陳列板側部材（Ｂ）の凸状係合部を嵌合させる際、第１傾斜とすれば、陳列面を水平又は左右傾斜とすることができ、例えば、靴の横側を正面とする陳列ができる。また、第２傾斜とすれば、陳列面を前方下り傾斜とすることができ、例えば、靴を縦長の上方斜めを正面とする陳列ができる。このように、ひとつの商品陳列什器で、少なくとも３つの陳列形態を演出できる。
【図面の簡単な説明】
【００１５】
【図１】本考案の実施の形態における商品陳列什器の斜視図である。
【図２】図１の商品陳列什器の分解斜視図である。
【図３】図１の商品陳列什器を構成する商品陳列板側部材の左側面図である。
【図４】図１の商品陳列什器を構成する固定側部材の正面図である。
【図５】図１の商品陳列什器を構成する固定側部材の平面図である。
【図６】図５のＸ−Ｘ線方向から見た端面図である。
【図７】図１の商品陳列什器を構成する商品陳列板側部材の正面図である。
【図８】図１の商品陳列什器を構成する商品陳列板側部材の背面図である。
【図９】図１の商品陳列什器を構成する商品陳列板側部材の右側面図である。
【図１０】図１の商品陳列什器を構成する固定側部材の左側面図である。
【図１１】図１の商品陳列什器の正面図であり、陳列面が水平面のものである。
【図１２】図１の商品陳列什器の他の使用であり、陳列面が左下り傾斜のものである。
【図１３】図１の商品陳列什器の他の使用であり、陳列面が前方下り傾斜のものである。
【図１４】図１３の商品陳列什器の左側面図である。
【図１５】固定側部材の変形例の正面図である。
【図１６】図１５の固定側部材の底面図である。
【図１７】図１５のＹ−Ｙ線方向から見た断面図であり、弾性体の作用を説明する図である。
【図１８】図１５のＹ−Ｙ線方向から見た断面図であり、弾性体の作用を説明する他の図である。
【図１９】本考案の商品陳列什器の使用例を説明する図である。
【図２０】図１９の２段商品陳列什器１０Ｄの裏面を説明する図である。
【考案を実施するための形態】
【００１６】
次に、本考案の実施の形態における商品陳列什器について図１〜図１４を参照して説明する。図１はやや斜め下から見上げた図である。本明細書中、「前後」方向および「左右」方向は、図７及び図１１のような商品陳列什器の姿勢状態を正面視（正対視）した状態における方向を言う。
【００１７】
商品陳列什器１０は、固定側部材（Ａ）（図中の符号１）と商品陳列板側部材（Ｂ）（図中の符号２）を組み付けて（嵌合させて）得られるものである。固定側部材１は、バー部材２００及び壁面１００等の固定体に取り付けられる取り付け部１３と、凹状係合部１２を備えるアーム状の支持部１１とを有する。支持部１１は、後端部が取り付け部１３に固定されている。すなわち、支持部１１と取り付け部１３は連接して一体である。取り付け部１３の固定体への取り付けは、例えば、螺子止め、フック状係止部によるバー部材への係止による固定、固定体に形成された板状係止片に嵌め込む方法など公知の方法が適用できる。商品陳列什器１０は、樹脂成形品が好ましい。
【００１８】
アーム状の支持部１１は、本例では、取り付け部１３から前方へ延びる略角状断面の棒部材であり、その前後方向の中央から先端側に凹状係合部１２を有する。凹状係合部１２の後端は固定体から３０ｍｍ以上、好ましくは４０〜５０ｍｍ程度離れているのがよい。これにより、靴幅より少し大きめの陳列板２２を水平あるいは前方下り傾斜としても固定体が邪魔にならない。
【００１９】
凹状係合部１２は、上方が開で前端１２７から所定長さｌの奥行を有する部分円形断面の内周面１２８に前後方向に延びる溝１２１〜１２６を形成したものである。所定長さｌは、２５〜３０ｍｍ程度あれば、凸状係合部２１の円柱体を確実に保持できる。部分円形断面は、上方の開の部分を除く他の部分の内周部が円形断面であることを言い、半円以上、２７０度以下、好適には２３０度の円形断面であることが好ましい。これにより、溝の設置個数を多く採れ、陳列板の左右傾斜を大きくとれる。また、上方を開とすることで、凸状係合部２１と陳列板２２を接続する連接部２５の前方からの挿入を可能とする。部分円形断面の円形は、図４の二点鎖線１２９に示すように、溝を形成する山の頂点を結ぶ形状が円形であることを意味する。これにより、凸状係合部２１の円柱体２１の直径がこの二点鎖線１２９で示す円形の径より若干小であれば、凹状係合部１２に凸状係合部２１を円滑に挿入し、嵌合又は係止できる。また、上方の開口１９１は、上方に向けて拡径であることが、凸状係合部２１と陳列板２２を接続する連接部２５が左右方向に傾くことができる点で好ましい。  
【００２０】
凹状係合部１２の内周面１２８に形成される溝は、凸状係合部２１の周面突起２３又は端面突起２４と係止するものであり、ひとつでもよく、好ましくは周方向に所定のピッチで複数形成されたものであり、本例では６つであり、縦方向に延びる左右を区画する縦中心軸に対して、３つが左右対称位置に合計６つが形成されている。これにより、少なくとも陳列板２２の水平支持、左傾斜支持又は右傾斜支持の３つの異なる支持態様が可能となる。溝１２５、１２６は、凹状係合部１２正面視において、円の中心から下ろした線からの角度αが３５〜４５度、好適には４０度、溝１２２、１２４は、溝１２５、１２６からの角度βが２５〜３５度、好適には３０度、溝１２１、１２３は、溝１２２、１２４からの角度βが２５〜３５度、好適には３０度である。また、溝の断面形状は特に制限されず、放物線断面に対応する断面形状が好ましい。
【００２１】
商品陳列板側部材２は、凹状係合部１２に嵌合する凸状係合部２１と、商品が載置される陳列面２２１を有する陳列板２２と、凸状係合部２１と陳列板２２を一体に接続する連接部２５とを有する。凸状係合部２１は、前後方向に延びる円柱体の外周面に前後方向で且つ円柱体の軸中心に延びる周面突起を形成し、該円柱体の円形端面に径方向に延び且つ円形の中心を通る端面突起を形成したものである。円柱体の直径は、凹状係合部１２の二点鎖線１２９で示す仮想円形の径と同じ又はそれより若干小である。これにより、凹状係合部１２に凸状係合部２１を円滑に挿入し、嵌合又は係止できる。円柱体の長さは、円柱体の円形端面の円の直径と同じか、又はそれより小であり、２０〜２５ｍｍ程度であれば、凹状係合部１２に円形端面が左右端となる姿勢で凸状係合部２１を円滑に挿入し、嵌合又は係止でき且つ確実に保持できる。円柱体は外観形状であって、内部は中実、中空あるいは前後の一方が開のくり抜き状であってもよい。
【００２２】
円柱体に形成される周面突起２３は、ひとつでもよいが、複数が好ましく、円形端面が正面にくる横置き円柱体の縦方向に延びる縦中心線を中心に、左右対称位置に形成することが好ましい。本例では縦中心線からの角度γ１が３０〜４５度、好ましくは３５度とすることが、靴陳列に好適な傾斜を付与できる点で好ましい。周面突起２３の断面形状は、凹状係合部１２の溝断面形状に対応するものであり、放物線断面形状が好ましい。周面突起２３の前後方向の長さは、円柱体の長さと同じ又はそれ以下であればよい。端面突起２４は、円柱体の前後両端面又は前後両端面のいずれか１方の端面に形成されるものである。本例では、端面突起２４は、円柱体の前後両端面のいずれか１方の端面に形成されている。端面突起２４は、円形端面が正面にくる横置き円柱体の縦方向に延びる縦中心線からの角度γ２が３５〜４５度、好ましくは４０度とすることが、前方下り傾斜の際、陳列板が固定体に接触せず、靴陳列に好適な傾斜を付与できる点で好ましい。端面突起２４の断面形状は、凹状係合部１２の溝断面形状に対応するものであり、放物線断面形状が好ましい。端面突起２４の長さは、円柱体の端面の円の径長さと同じ又はそれより小であればよい。
【００２３】
商品陳列板側部材２において、陳列板２２は、陳列する商品に対応する形状であればよく、靴であれば、靴の長さに対応する長さ、靴の幅に対応する長さ、好適には、靴の平面視形状に対応する形状であればよい。また、陳列板２２の陳列面２２１には、商品の滑り止めなどが適宜形成されていてもよい。商品陳列板側部材２において、連接部２５は、凸状係合部２１と陳列板２２を一体に接続する棒部材であればよく、本例では、略角部材である。連接部２５の長さは、１０〜２０ｍｍ程度である。これにより、陳列板２２を傾斜姿勢としても、凹状係合部１２が障害となることはない。
【００２４】
次に、商品陳列什器１０の使用方法について図１１〜図１４を参照して説明する。先ず、陳列面２２１が水平となる第１傾斜について、図１１を参照して説明する。第１傾斜は、凸状係合部２１の周面突起と凹状係合部１２の溝を係合させた際、形成されるものである。固定側部材１は、固定体に固定されている。これにより、アーム状の支持部１１は、前方に長く水平に延びている。また、凹状係合部１２の６つの溝は正面視で鉛直中心軸に対して左右対称位置となっている。すなわち、溝１２５、１２６は鉛直中心線に対して４０度の位置にあり、これに隣接する溝１２２、１２４は溝１２５、１２６に対して３０度の位置にあり、これに隣接する溝１２１、１２３は溝１２２、１２４に対して３０度の位置にある。この凹状係合部１２に凸状係合部２１を、正面視で円形端面が見える姿勢で前方から後方に押し込むように挿入する。この際、周面突起２３ａが溝１２２に、周面突起２３ｂが溝１２４に嵌合するように挿入する。なお、凹状係合部１２の後方端は後方壁１５１となっており、凸状係合部２１の後方端と凹状係合部１２の後方端が当接することにより、嵌合は完了する。なお、端面突起２４は凸状係合部２１の前方端に位置するため、嵌合の障害となることはない。このような商品陳列什器１０は図１１に示すように、陳列面が水平状態となるため、例えば靴を横長にして置けば、顧客の目に靴のスタイルや模様がよく見える。
【００２５】
次に、陳列面２２１が左下がり傾斜となる第１傾斜について、図１２を参照して説明する。図１２において、図１１と同一構成要素には同一符号を付して、その説明を省略し、異なる点について主に説明する。すなわち、図１２において、図１１と異なる点は、凹状係合部１２の溝と凸状係合部２１の周面突起２３の嵌合位置である。すなわち、固定側の凹状係合部１２に凸状係合部２１を、正面視で円形端面が見える姿勢で前方から後方に押し込むように挿入する。この際、周面突起２３ａが溝１２５に、周面突起２３ｂが溝１２３に嵌合するように挿入する。このような商品陳列什器１０ａは図１２に示すように、陳列面２２１が左下がり状態となるため、例えば靴を横長にして置けば、顧客の目に靴のスタイルや模様がよく見える。なお、本例では、陳列板２２の左端部に陳列面２２１から上方に突出する短い突起２２２を形成させたため、傾斜による靴の転落を防止できる。また、周面突起２３ａが溝１２１に、周面突起２３ｂが溝１２６に嵌合するように挿入すれば、陳列面２２１は、右下り傾斜となる。この際、陳列板２の右側端部にも、短い突起２２２を形成すればよい。
【００２６】
次に、陳列面２２１が前方下り傾斜となる第２傾斜について、図１３及び図１４を参照して説明する。図１３及び図１４において、図１１と同一構成要素には同一符号を付して、その説明を省略し、異なる点について主に説明する。第２傾斜は、凸状係合部２１の端面突起と凹状係合部１２の溝に係合させた際、形成されるものである。すなわち、図１３及び図１４において、図１１と異なる点は、凹状係合部１２と凸状係合部２１の嵌合関係である。すなわち、本例では、凹状係合部１２に凸状係合部２１を、正面視で円柱体の横側（周面）が見え、円柱体の端面が両側にくる姿勢で前方から後方に押し込むように挿入する。この際、端面突起２４が溝１２３に嵌合するように挿入する。この際、円柱体の端面の角２１１は面取り又はアール状になっており、凹状係合部１２の溝１２５、１２６に好適に嵌合する。なお、周面突起２３のひとつは正面視で横長に見えており、且つ円柱体の最下位置よりやや手前に位置しており、嵌合の障害となることはない。また、周面突起２３の他のひとつは正面視で円柱体の後方やや上部に位置しており、嵌合の障害となることはない。このような商品陳列什器１０ｂは図１３及び図１４に示すように、陳列面が前方下り傾斜となるため、例えば靴を縦長にして置けば、顧客の目に靴の上方側のスタイルや模様がよく見える。なお、第１傾斜にある商品陳列什器１０を第２傾斜の商品陳列什器１０とするには、先ず、凹状係合部１２から凸状係合部２１を手前に引き抜いて、凹状係合部１２と凸状係合部２１の嵌合を外す。次いで、凸状係合部２１、すなわち、商品陳列側部材２を水平面内において９０度回転させ、商品陳列側部材２を円柱体の軸を中心として前後方向に回転させ、端面突起２４が前後方向で水平に延びるような姿勢とする。次いで、凸状係合部２１を凹状係合部１２に前方から後方に向けて押し込めばよい。
【００２７】
次に、本考案の商品陳列什器１０の変形例について図１５〜図１８を参照して説明する。図１５〜図１８において、図１と同一構成要素には同一符号を付して、その説明を省略し、異なる点について主に説明する。すなわち、図１５〜図１８において、図１と異なる点は、アーム状の支持部１１ａである。すなわち、アーム状の支持部１１ａにおいて、凹状係合部１２である略Ｕ字形状の枠形状の本体部１７１の左右方向の中央部には、上下方向に貫通する貫通孔１４１を形成し、貫通孔１４１より小であり、後端が固定された、薄片状の上下方向に撓む弾性体３を形成し、弾性体本体部３１の先端に上下方向に延びる突起３２を形成したものである。弾性体３は、商品陳列板側部材２の前方への移動を規制して、前方への転落を防止する。すなわち、凹状係合部２に凸状係合部２１を押し込む際、円柱体である凸状係合部２１は弾性体３１の先端突起３２１に当接する。更に凸状係合部２１を押し込めば、弾性体３１は下方に撓み、先端突起３２１は、貫通孔１４１に没入して（図１７の符号３２１の二点鎖線）、凸状係合部２１の押し込みの障害とはならない。また、第１傾斜とする場合、凸状係合部２１を押し込むことで、円柱体の後端が凹状係合部１２の後壁１５１に当接した際、円柱体の前端は、弾性体３１の先端突起３２１より後方に位置する。このため、弾性体３１は元の形状に復元し、先端突起３２１は、凹状係合部２の内部空間に突出するため、円柱体である凸状係合部２１の前方への転落を防止する。また、第２傾斜とする場合、凸状係合部２１を押し込むことで、円柱体の後端が凹状係合部１２の後壁１５１に当接した際、周面突起２３が、弾性体３１の先端突起３２１より後方に位置する。このため、弾性体３１は元の形状に復元し、先端突起３２１は、凹状係合部２の内部空間に突出するため、円柱体である凸状係合部２１の前方への転落を防止する。
【００２８】
次に、本考案の商品陳列什器１０の変形例について図１９を参照して説明する。図１９において、図１及び図１１と同一構成要素には同一符号を付して、その説明を省略し、異なる点について主に説明する。図１９において、後方バー部材２００には、２つの商品陳列什器１０Ａ、１０Ｂが、前方バー部材２００には、２つの商品陳列什器１０Ｃ、１０Ｄが設置されている。すなわち、図１９の商品陳列什器１０Ａにおいて、図１及び図１１の商品陳列什器と異なる点は、陳列板２２ａを透明部材とした点である。商品陳列什器１０Ａにおいても、商品陳列什器１０と同様の効果を奏する。
【００２９】
図１９の商品陳列什器１０Ｂにおいて、図１２の商品陳列什器と異なる点は、陳列板２２ａを透明部材とした点である。商品陳列什器１０Ｂにおいても、商品陳列什器１０と同様の効果を奏する。図１９の商品陳列什器１０Ｃにおいて、図１３及び図１４の商品陳列什器と異なる点は、陳列板２２ａを透明部材とした点である。商品陳列什器１０Ｂにおいても、商品陳列什器１０と同様の効果を奏する。
【００３０】
図１９及び図２０の商品陳列什器１０Ｄにおいて、図１及び図１１の商品陳列什器と異なる点は、陳列板２２ａを透明部材とした点、商品陳列什器を２台とし、連結棒９０で連結した点及び陳列板２２ａの裏面に、連結棒９０を支持する係止部材８０を形成した点である。係止部材８０は、陳列板２２ａの裏面の左右の２箇所、前後方向の２箇所に下方に突出するように形成されたものであり、連結棒９０が挿通される凹面を有した外観が略Ｊ字断面の片空きの突起である。連結棒９０は、前方水平棒部材と後方水平棒部材と、前方水平棒部材の後端と後方水平棒部材の前方端とを接続する縦部材から構成されるクランク状のものである。商品陳列什器１０Ｄは、先ず図１及び図１１のような商品陳列什器１０に２台目の商品陳列什器１０を取り付けたものである。すなわち、バー部材２００に取り付けた商品陳列什器１０の係止部材８０に、連結棒９０の後方水平部材を前方から後方へ又は片空き側の側面から差し込む。次に、連結棒９０の前方水平部材に対して、別途準備された商品陳列什器１０の係止部材８０を嵌合させる。なお、連結棒９０の前方水平部材に予め商品陳列什器１０を取り付け、その後、バー部材２００に取り付けた商品陳列什器１０に、連結棒９０を取り付けてもよい。商品陳列什器１０Ｄにおいても、商品陳列什器１０と同様の効果を奏する他、前後及び上下２段の陳列面を形成することができる。連結棒９０を係止する係止部材８０は上記形態例に限定されず、前後２つの係止部材が一体化したものであってもよい。すなわち、この係止部材は、陳列板２２の裏面に、左右一対の係止部材が形成されたものであり、ひとつの係止部材は連結棒９０が挿通される凹面を有した外観が略Ｊ字断面の片空きの突起であり、前後方向に所定の長さを有する。
【００３１】
本考案の商品陳列什器は、上記実施の形態に限定されず、種々の変形をとることができる。商品陳列什器において、陳列板には商品情報を記載したプレート板又は情報紙の一端を固定又は差し込む前方係合部が形成されていてもよい。
【産業上の利用可能性】
【００３２】
本考案明の商品陳列什器は、第１傾斜とすれば、陳列面を水平又は左右傾斜とすることができ、例えば、靴の横側を正面とする陳列ができる。また、第２傾斜とすれば、陳列面を前方下り傾斜とすることができ、例えば、靴を縦長の上方斜めを正面とする陳列ができる。このように、ひとつの商品陳列什器で、少なくとも３つの陳列形態を演出できるため、在庫管理に都合がよく、コスト低減も可能である。
【図１】
0003198021.tif 000003
【図２】
0003198021.tif 000004
【図３】
0003198021.tif 000005
【図４】
0003198021.tif 000006
【図５】
0003198021.tif 000007
【図６】
0003198021.tif 000008
【図７】
0003198021.tif 000009
【図８】
0003198021.tif 000010
【図９】
0003198021.tif 000011
【図１０】
0003198021.tif 000012
【図１１】
0003198021.tif 000013
【図１２】
0003198021.tif 000014
【図１３】
0003198021.tif 000015
【図１４】
0003198021.tif 000016
【図１５】
0003198021.tif 000017
【図１６】
0003198021.tif 000018
【図１７】
0003198021.tif 000019
【図１８】
0003198021.tif 000020
【図１９】
0003198021.tif 000021
【図２０】
0003198021.tif 000022